(57)【特許請求の範囲】
【請求項１】
高圧が印加される放電電極と、グランド線を介して接地されるとともに上記放電電極の前方に位置して放電電極と対向する対向電極と、放電電極上に水を供給する水供給手段とを備えて、放電電極上の水を放電によって霧化する静電霧化装置であって、前記放電電極よりも導電性が低い材質からなる筒状の遮蔽部材を放電電極の根元側よりも前方側に配置しているとともに、上記遮蔽部材はグランド線をコイル状に巻いて形成したものであることを特徴とする静電霧化装置。
【請求項２】
上記遮蔽部材は放電電極の基端側を支持しているベース部と対向電極との間で且つ放電電極の外周を囲む位置に配されていることを特徴とする請求項１記載の静電霧化装置。
【請求項３】
上記遮蔽部材は対向電極よりも前方側に配置されていることを特徴とする請求項１記載の静電霧化装置。
【請求項４】
上記遮蔽部材は少なくとも内周面が絶縁材からなることを特徴とする請求項１〜３のいずれか１項に記載の静電霧化装置。
【請求項５】
冷風乃至温風を送風する送風手段と、請求項１〜４のいずれか１項に記載の静電霧化装置とを備えていることを特徴とするヘアドライヤー。
【発明の詳細な説明】
【技術分野】
【０００１】
本発明は、静電霧化装置、殊にナノメータサイズの帯電微粒子水（ミスト）を発生させる静電霧化装置とこれを備えたヘアドライヤーに関するものである。
【背景技術】
【０００２】
水が供給される放電電極と対向電極との間に高電圧を印加して放電させ、放電電極が保持している水にレイリー分裂を生じさせて霧化させることによってナノメータサイズの帯電微粒子水（ミスト）を発生させる静電霧化装置がある。この静電霧化装置で生成されたミストはラジカルを含んでいるとともに長寿命であって、空間内への拡散を大量に行うことができ、室内の壁面や衣服やカーテンなどに付着した悪臭成分などに効果的に作用して無臭化することができるほか、毛髪や人体の肌に対して供給した場合、保湿性を高めることができるといった特性を備えており、このために、上記静電霧化装置を組み込んだヘアドライヤーなども提供されている。
【０００３】
また、上記放電電極上への水の供給を、放電電極を冷却することで空気中の水分を放電電極上で結露させることで行うものも提供されている。図７はこの場合の一例を示しており、針状に形成された放電電極２と対向電極３とに高圧電源部５が接続されている。また、放電電極２の基端側には対の回路板６ｂ，６ｄ間に熱電素子６ｃを配するとともに絶縁板６ａを備えたペルチェモジュール６が熱的に接続されており、ペルチェモジュール６の他方の回路板６ｄの外面側には放熱フィン７が接続されている。
【０００４】
ペルチェモジュール６で放電電極２を冷却することで上述のように空気中の水分を結露させて放電電極２上に結露水を生成し、この結露水を放電電極２と対向電極３との間の放電によって静電霧化させてナノメータサイズの静電微粒子水（ミスト）Ｍを発生させている。
【０００５】
ところで発生させたミストＭは、リング状に形成した対向電極３の中央を通って図中の白抜き矢印で示す前方に吐出させたいのであるが、上記放電電極２に例えば−５ｋＶの負電圧を印加し、対向電極２をグランド線４で接地している時、グランド線４は放電電極２の側方を通って後方へと引き回されている。
【０００６】
ここにおいて、静電霧化で発生させたミストＭを観察したところ、リング状の放電電極２の中央を通って吐出されるべきミストＭの一部が、放電電極２の側方を通っているグランド線４側に向かい、さらにその一部は後方へと流れていることが確認された。これは放電電極２から放出される電気力線が、グランド線４側にも作用してしまうためであると考えられる。
【特許文献１】特開２００６−２０５０９４号公報
【発明の開示】
【発明が解決しようとする課題】
【０００７】
本発明は上記の従来の問題点に鑑みて発明したものであって、発生させたミストＭの前方への吐出量を増加させることができる静電霧化装置とこれを備えたヘアドライヤーを提供することを課題とするものである。
【課題を解決するための手段】
【０００８】
上記課題を解決するために本発明に係る静電霧化装置は、高圧が印加される放電電極と、グランド線を介して接地されるとともに上記放電電極の前方に位置して放電電極と対向する対向電極と、放電電極上に水を供給する水供給手段とを備えて、放電電極上の水を放電によって霧化する静電霧化装置であり、前記放電電極よりも導電性が低い材質からなる筒状の遮蔽部材を放電電極の根元側よりも前方側に配置しているとともに、上記遮蔽部材はグランド線をコイル状に巻いて形成したものであることに特徴を有している。
【０００９】
上記遮蔽部材は、放電電極の基端側を支持しているベース部と対向電極との間で且つ放電電極の外周を囲む位置に配されていることが好ましいが、対向電極よりも前方側に配置されているものであってもよい。
【００１０】
また、上記遮蔽部材は少なくとも内周面が絶縁材からなるものを好適に用いることができる。
【００１１】
そして本発明に係るヘアドライヤーは、冷風乃至温風を送風する送風手段と、上記の静電霧化装置とを備えていることに特徴を有している。
【発明の効果】
【００１２】
本発明に係る静電霧化装置は、遮蔽部材によってグランド線に向かう電気力線を遮蔽してしまうために、発生させたミストがグランド線側に引っ張られて後方側に流れてしまう事態が生じることを防ぐことができるものであり、ミストの前方吐出量を増やすことができる。
【発明を実施するための最良の形態】
【００１３】
以下、本発明を添付図面に示す実施形態に基いて説明すると、図１において、２は放電電極、３は対向電極で、針状に形成された放電電極２の先端から間隔をおいてリング状に形成された対向電極３が配設されている。また、放電電極２の基端側にはペルチェモジュール６が熱的に接続されている。このペルチェモジュール６は、対の回路板６ｂ，６ｄ間に熱電素子６ｃを配したもので、上記放電電極２側の回路板６ｂは絶縁板６ａを介して放電電極２に接続されている。また、ペルチェモジュール６の他方の回路板６ｄの外面側には放熱フィン７が接続されている。
【００１４】
図中５は放電電極２と対向電極３との間に高電圧を印加する高圧電源部であり、上記ペルチェモジュール６は、放電電極２を冷却することで空気中の水分を放電電極２上に結露させることで、霧化させる水を放電電極２上に生成するものである。なお、霧化させるための水は特許文献１で示されたものと同様に水タンクから放電電極２に供給されるものであってもよい。
【００１５】
この静電霧化装置１では、前述のようにペルチェモジュール６で放電電極２を冷却することで空気中の水分を結露させて放電電極２上に結露水を生成する。この時、放電電極２と対向電極３との間に高電圧を印加すれば、放電電極２上の結露水は対向電極３側に引っ張られて放電電極２の先端に集まり、更に対向電極３との間の放電によってレイリー分裂を起こしてナノメータサイズの静電微粒子水（ミスト）Ｍとなるとともに対向電極２側に移動し、リング状の対向電極２の中央を通って前方側へと吐出される。
【００１６】
ここにおいて、上記対向電極３を接地させているグランド線４が放電電極２の側方を通って後方側に引き回されているのであるが、このグランド線４の影響を避けるために、ここでは対向電極３と放電電極２を保持しているベース部分との間に筒状の遮蔽部材１１を配して、対向電極３よりも導電性が低い材質からなる上記遮蔽部材１１で放電電極２の外周を囲んでいる。
【００１７】
対向電極３に電気的に接続されることでグランド線４を介して接地されている上記遮蔽部材１１は、放電電極２の後方へと引き回されたグランド線４に向かっていた電気力線を遮蔽するものであり、このためにミストＭの一部が後方側へと流れるというようなことを招くことがなく、最終的には意図している前方側に全ミストＭが吐出される。
【００１８】
図２に示すように、上記遮蔽部材１１の少なくとも内周面側を絶縁被膜１２で覆っていてもよい。この場合、放電電極２と遮蔽部材１１間の電位差を更に低減することができるために、放電電極２の側方に向かっていた電気力線も前方側に向けることができるために、前方側へのミストＭの吐出量を更に増大させることができる。なお、遮蔽部材１１全体が絶縁性材で形成されたものであってもよい。
【００１９】
図３に他の実施形態の一例を示す。これは絶縁被覆が施されているグランド線４を密に巻いたコイル状とし、このコイル状とした部分で対向電極３と上記ベース部との間の放電電極２外周を囲むことによってグランド線４そのものが遮蔽部材１１として機能するようにしたものである。
【００２０】
図４に示すようにグランド線４のコイル状とすることで形成した遮蔽部材１１を対向電極３よりも更に前方側にも延長して配置するようにしてもよい。放電電極２から発生する電気力線の方向を効率良く前方側に向かわせることができるためにミストＭの前方吐出量を更に増加させることができる。
【００２１】
また、対向電極３よりも更に前方側にグランド線４のコイル状部分を配置する場合、図５に示すように、対向電極２の外周を囲む部分が無くても、グランド線４の影響で後方へと向かうミストＭの流れを少なくすることができるが、図１や図２に示した遮蔽部材１１を併用したものや、図４に示したものの方がより好ましいのはもちろんである。
【００２２】
図６は図３に示した静電霧化装置１を備えたヘアドライヤー１６の一例を示しており、先端に吐出口１４，後端に吸い込み口１５を有する筒状ハウジング２６内に内筒２３を配するとともに、内筒２６の後端側にモータ１９とファン１７と風洞１８とからなる送風装置を配置し、上記内筒２３の前部内にヒータ２２を配したもので、吐出口１４内にはフィルター２４とノズル２５とを配設している。図中２８はハウジング２６の途中から延出したグリップ部、２７はスイッチ、２９は電源コード導出部である。
【００２３】
そして上記ヘアドライヤー１６では、ハウジング２６と内筒２３との間の空間にグランド線４をコイル状に巻いて遮蔽部材１１を形成している静電霧化装置１を配置して、該静電霧化装置１で発生させたミストＭが上記吐出口１４とは別に設けた吐出口３０から前方に向けて吐出されるようにしている。
【図面の簡単な説明】
【００２４】
【図１】本発明の実施の形態の一例を示す断面図である。
【図２】同上の他例の断面図である。
【図３】他の実施の形態の一例の断面図である。
【図４】同上の他例の断面図である。
【図５】更に他例の断面図である。
【図６】本発明に係る静電霧化装置を備えたヘアドライヤーの断面図である。
【図７】従来例の断面図である。
【符号の説明】
【００２５】
１  静電霧化装置
２  放電電極
３  対向電極
４  グランド線
５  高圧電源部
１１  遮蔽部材
【図１】
0004862779.tif 000002
【図２】
0004862779.tif 000003
【図３】
0004862779.tif 000004
【図４】
0004862779.tif 000005
【図５】
0004862779.tif 000006
【図６】
0004862779.tif 000007
【図７】
0004862779.tif 000008